(57)【要約】      （修正有）【課題】直交周波数分割多重接続（ＯＦＤＭＡ）において、無線媒体を効率的に割当てるためのシステム及び方法を提供する。【解決手段】２０ＭＨｚチャネル４００のＲＵの構成において、使用可能トーン４０４は、リソースユニット（ＲＵ）に利用可能なトーンを示す。ＲＵ４０６は、９個の２６トーンＲＵのトーン構成であり、０のトーンインデックス４０２と、４０２に跨る１つのＲＵとの何れかの側に４つの２６トーンＲＵを構成し、ライン４１４は８つのヌルサブキャリアを示す。ＲＵ４０８は、４つの５２トーンＲＵ及び１つの２６トーンＲＵのトーン構成であり、ライン４１６は５２トーンＲＵの間の２つのヌルを示す。ＲＵ４１０は、２つの２０４トーンＲＵ及び１つの２６トーンＲＵのトーン構成であり、ライン４１８は４つのヌルを示す。ＲＵ４１２は、０のトーンインデックス４０２において中央にヌルを有する１つの２４２トーンＲＵのトーン構成である。【選択図】図４
2020184787.tif 000002
【特許請求の範囲】
【請求項１】
高効率（ＨＥ）処理用に構成された無線装置であって、
メモリと、
前記メモリに結合される処理回路と、
を有し、
前記処理回路は、送信機会（ＴＸＯＰ）内でトリガフレームを受信し、前記トリガフレームは、前記無線装置を含む複数のＨＥステーション（ＳＴＡ）による前記ＴＸＯＰ内のアップリンクデータ送信のためのリソースユニットの割当てを含み、前記割当ては前記無線装置のための単一のリソースユニット割当てを含み、前記無線装置は、２０ＭＨｚ直交周波数分割多重接続（ＯＦＤＭＡ）ブロック内で以下の単一のリソースユニット、
２個のパイロットトーンを有する８個の２６トーンリソースユニットと、ヌルトーンの両側に１３トーンを含む２６トーンリソースユニットとの１つ、
４個のパイロットトーンを有する４個の５２トーンリソースユニットと、ヌルトーンの両側に１３トーンを含む２６トーンリソースユニットとの１つ、
４個のパイロットトーンを有する２個の１０６トーンリソースユニットと、ヌルトーンの両側に１３トーンを含む２６トーンリソースユニットとの１つ、及び、
８個のパイロットトーンを有する１個の２４２トーンリソースユニットの１つ、のそれぞれにおいて送信するよう構成され、
前記トリガフレームに応答して、前記ＴＸＯＰの間に前記単一のリソースユニット割当て内の送信のため、前記単一のリソースユニット割当てに従ってアップリンクデータユニットを生成するよう構成される無線装置。
【請求項２】
前記無線装置は、４０ＭＨｚ  ＯＦＤＭＡブロック内で以下の単一のリソースユニット、  
２個のパイロットトーンを有する１８個の２６トーンリソースユニットの１つ、
４個のパイロットトーンを有する８個の５２トーンリソースユニットと、２個の２６トーンリソースユニットとの１つ、
４個のパイロットトーンを有する４個の１０６トーンリソースユニットと、２個の２６トーンリソースユニットとの１つ、及び、
１個の４８４トーンリソースユニットの１つ、のそれぞれにおいて送信するよう構成され、
前記トリガフレームは、前記複数のＨＥ  ＳＴＡの各ＨＥ  ＳＴＡに単一のリソースユニットを割り当てるためのシグナリングを含む、請求項１記載の無線装置。
【請求項３】
前記無線装置は、８０ＭＨｚ  ＯＦＤＭＡブロック内で以下の単一のリソースユニット、  
２個のパイロットトーンを有する３７個の２６トーンリソースユニットの１つ、
４個のパイロットトーンを有する１６個の５２トーンリソースユニットの１つ、
４個のパイロットトーンを有する８個の１０６トーンリソースユニットの１つ、
８個のパイロットトーンを有する４個の２４２トーンリソースユニットの１つ、及び、
１６個のパイロットトーンを有する２個の４８４トーンリソースユニットの１つ、のそれぞれにおいて送信するよう構成され、
前記トリガフレームは、前記複数のＨＥ  ＳＴＡの各ＨＥ  ＳＴＡに単一のリソースユニットを割り当てるためのシグナリングを含む、請求項１記載の無線装置。
【請求項４】
前記トリガフレームは、前記アップリンクデータユニットの送信を含むレスポンスをトリガする、請求項１記載の無線装置。
【請求項５】
前記処理回路は更に、前記ＴＸＯＰ内でマルチユーザＭＩＭＯ（ＭＵＭＩＭＯ）又はＯＦＤＭＡ技術の１つに従って１つ以上のアップリンクマルチユーザデータユニットの一部として送信用の前記アップリンクデータユニットを生成するよう構成される、請求項４記載の無線装置。
【請求項６】
前記無線装置は、ＨＥ  ＳＴＡであり、
前記トリガフレームを受信し、
前記無線装置のための前記単一のリソース割当てに従って前記アップリンクデータユニットを送信するよう構成される送受信回路を更に有し、
前記処理回路は、前記トリガフレームを復号化し、前記アップリンクデータユニットの送信用の前記単一のリソースユニット割当てのトーン設定を決定するよう構成される、請求項１記載の無線装置。
【請求項７】
前記送受信回路に結合される１つの以上のアンテナを更に有する、請求項６記載の無線装置。
【請求項８】
高効率（ＨＥ）処理用に構成された無線装置の１つ以上のプロセッサによる実行用の命令を格納する非一時的なコンピュータ可読記憶媒体であって、
前記命令は、
送信機会（ＴＸＯＰ）内でトリガフレームを受信する処理であって、前記トリガフレームは、前記無線装置を含む複数のＨＥステーション（ＳＴＡ）による前記ＴＸＯＰ内のアップリンクデータ送信のためのリソースユニットの割当てを含み、前記割当ては前記無線装置のための単一のリソースユニット割当てを含み、前記無線装置は、２０ＭＨｚ直交周波数分割多重接続（ＯＦＤＭＡ）ブロック内で以下の単一のリソースユニット、
２個のパイロットトーンを有する８個の２６トーンリソースユニットと、ヌルトーンの両側に１３トーンを含む２６トーンリソースユニットとの１つ、
４個のパイロットトーンを有する４個の５２トーンリソースユニットと、ヌルトーンの両側に１３トーンを含む２６トーンリソースユニットとの１つ、
４個のパイロットトーンを有する２個の１０６トーンリソースユニットと、ヌルトーンの両側に１３トーンを含む２６トーンリソースユニットとの１つ、及び、
８個のパイロットトーンを有する１個の２４２トーンリソースユニットの１つ、のそれぞれにおいて送信するよう構成される、受信する処理と、
前記トリガフレームに応答して、前記ＴＸＯＰの間に前記単一のリソースユニット割当て内の送信のため、前記単一のリソースユニット割当てに従ってアップリンクデータユニットを生成する処理と、
を実行するよう前記無線装置を構成する記憶媒体。
【請求項９】
前記無線装置は、４０ＭＨｚ  ＯＦＤＭＡブロック内で以下の単一のリソースユニット、  
２個のパイロットトーンを有する１８個の２６トーンリソースユニットの１つ、
４個のパイロットトーンを有する８個の５２トーンリソースユニットと、２個の２６トーンリソースユニットとの１つ、
４個のパイロットトーンを有する４個の１０６トーンリソースユニットと、２個の２６トーンリソースユニットとの１つ、
８個のパイロットトーンを有する２個の２４２トーンリソースユニットの１つ、及び、
１個の４８４トーンリソースユニットの１つ、のそれぞれにおいて送信するよう構成され、
前記トリガフレームは、前記複数のＨＥ  ＳＴＡの各ＨＥ  ＳＴＡに単一のリソースユニットを割り当てるためのシグナリングを含む、請求項８記載の記憶媒体。
【請求項１０】
高効率（ＨＥ）処理用に構成された無線装置によって実行される方法であって、
前記命令は、
送信機会（ＴＸＯＰ）内でトリガフレームを受信することであって、前記トリガフレームは、前記無線装置を含む複数のＨＥステーション（ＳＴＡ）による前記ＴＸＯＰ内のアップリンクデータ送信のためのリソースユニットの割当てを含み、前記割当ては前記無線装置のための単一のリソースユニット割当てを含み、前記無線装置は、２０ＭＨｚ直交周波数分割多重接続（ＯＦＤＭＡ）ブロック内で以下の単一のリソースユニット、
２個のパイロットトーンを有する８個の２６トーンリソースユニットと、ヌルトーンの両側に１３トーンを含む２６トーンリソースユニットとの１つ、
４個のパイロットトーンを有する４個の５２トーンリソースユニットと、ヌルトーンの両側に１３トーンを含む２６トーンリソースユニットとの１つ、
４個のパイロットトーンを有する２個の１０６トーンリソースユニットと、ヌルトーンの両側に１３トーンを含む２６トーンリソースユニットとの１つ、及び、
８個のパイロットトーンを有する１個の２４２トーンリソースユニットの１つ、のそれぞれにおいて送信するよう構成される、受信することと、
前記トリガフレームに応答して、前記ＴＸＯＰの間に前記単一のリソースユニット割当て内の送信のため、前記単一のリソースユニット割当てに従ってアップリンクデータユニットを生成することと、
を有する方法。
【請求項１１】
４０ＭＨｚ  ＯＦＤＭＡブロック内で、前記単一のリソースユニットは、  
２個のパイロットトーンを有する１８個の２６トーンリソースユニットの１つ、
４個のパイロットトーンを有する８個の５２トーンリソースユニットと、２個の２６トーンリソースユニットとの１つ、
４個のパイロットトーンを有する４個の１０６トーンリソースユニットと、２個の２６トーンリソースユニットとの１つ、
８個のパイロットトーンを有する２個の２４２トーンリソースユニットの１つ、及び、
１個の４８４トーンリソースユニットの１つを含み、
前記トリガフレームは、前記複数のＨＥ  ＳＴＡの各ＨＥ  ＳＴＡに前記単一のリソースユニットの１つを割り当てるためのシグナリングを含む、請求項１０記載の方法。
【請求項１２】
マスタステーション（ＳＴＡ）として高効率（ＨＥ）処理用に構成されるアクセスポイントの装置であって、
メモリと、
前記メモリに結合される処理回路と、
を有し、
前記処理回路は、
アップリンクデータ送信のため複数のＨＥステーション（ＨＥ  ＳＴＡ）のそれぞれに単一のリソースユニットの割当てを含むリソースユニットを割り当てるようトリガフレームを構成し、前記アクセスポイントの装置は、以下、
２個のパイロットトーンを有する８個の２６トーンリソースユニットを有する２０ＭＨｚ直交周波数分割多重接続（ＯＦＤＭＡ）ブロックと、ヌルトーンの両側に１３トーンを有する２６トーンリソースユニット、
４個のパイロットトーンを有する５２トーンリソースユニットを有する前記２０ＭＨｚ  ＯＦＤＭＡブロックと、前記ヌルトーンの両側に１３トーンを有する前記２６トーンリソースユニット、
４個のパイロットトーンを有する２個の１０６トーンリソースユニットを有する前記２０ＭＨｚ  ＯＦＤＭＡブロックと、前記ヌルトーンの両側に１３トーンを有する前記２６トーンリソースユニット、及び、
８個のパイロットトーンを有する１個の２４２トーンリソースユニットを有する前記２０ＭＨｚ  ＯＦＤＭＡブロック、のそれぞれに従って前記リソースユニットを割り当て、各ＨＥ  ＳＴＡには、１個の２０ＭＨｚ  ＯＦＤＭＡブロック内で前記単一のリソースユニットが割り当てられ、
前記２０ＭＨｚ  ＯＦＤＭＡブロック内で前記ＨＥ  ＳＴＡの少なくとも一部から受信される１つ以上のアップリンクデータユニットを処理するよう構成され、前記アップリンクデータユニットは、前記トリガフレームに応答して、前記マスタステーションによって取得される送信機会（ＴＸＯＰ）内で受信される装置。
【請求項１３】
前記アクセスポイントの装置は、以下、
２個のパイロットトーンを有する１８個の２６トーンリソースユニットを有する４０ＭＨｚ  ＯＦＤＭＡブロック、
４個のパイロットトーンを有する８個の５２トーンリソースユニットを有する前記４０ＭＨｚ  ＯＦＤＭＡブロックと、２個の２６トーンリソースユニット、
４個のパイロットトーンを有する４個の１０６トーンリソースユニットを有する前記４０ＭＨｚ  ＯＦＤＭＡブロックと、２個の２６トーンリソースユニット、
８個のパイロットトーンを有する２個の２４２トーンリソースユニットを有する前記４０  ＭＨｚ  ＯＦＤＭＡブロック、及び
１個の４８４トーンリソースユニットを有する前記４０ＭＨｚ  ＯＦＤＭＡブロック、のそれぞれに従って前記リソースユニットを割り当てるよう構成され、
各ＨＥ  ＳＴＡには、１個の２０ＭＨｚ  ＯＦＤＭＡブロック又は１個の４０ＭＨｚ  ＯＦＤＭＡブロック内で前記単一のリソースユニットが割り当てられる、請求項１２記載の装置。
【請求項１４】
前記アクセスポイントの装置は、以下、
２個のパイロットトーンを有する３７個の２６トーンリソースユニットを有する４０ＭＨｚ  ＯＦＤＭＡブロック、
４個のパイロットトーンを有する１６個の５２トーンリソースユニットを有する前記４０ＭＨｚ  ＯＦＤＭＡブロック、
４個のパイロットトーンを有する８個の１０６トーンリソースユニットを有する前記４０ＭＨｚ  ＯＦＤＭＡブロック、
８個のパイロットトーンを有する４個の２４２トーンリソースユニットを有する前記４０  ＭＨｚ  ＯＦＤＭＡブロック、及び
１６個のパイロットトーンを有する２個の４８４トーンリソースユニットを有する前記４０ＭＨｚ  ＯＦＤＭＡブロック、のそれぞれに従って前記リソースユニットを割り当てるよう構成され、
各ＨＥ  ＳＴＡには、１個の２０ＭＨｚ  ＯＦＤＭＡブロック、１個の４０ＭＨｚ  ＯＦＤＭＡブロック又は１個の８０ＭＨｚ  ＯＦＤＭＡブロック内で前記単一のリソースユニットが割り当てられる、請求項１２記載の装置。
【請求項１５】
前記処理回路は更に、前記複数のＨＥ  ＳＴＡに送信するための前記トリガフレームを生成するよう構成され、
前記トリガフレームは、前記２０ＭＨｚ  ＯＦＤＭＡブロック内で前記リソースブロックを割り当てるためのシグナリングを含み、
前記リソースユニットの１つは、前記複数のＨＥ  ＳＴＡのそれぞれに割り当てられる、請求項１２記載の装置。
【請求項１６】
前記トリガフレームは、前記ＴＸＯＰ内の送信のため構成され、
前記トリガフレームは、前記ＨＥ  ＳＴＡによる前記アップリンクデータユニットの送信を含むレスポンスをトリガする、請求項１５記載の装置。
【請求項１７】
前記アップリンクデータユニットは、前記ＴＸＯＰ内で前記ＨＥ  ＳＴＡから受信されるアップリンクマルチユーザデータユニットを含み、
前記処理回路は更に、前記ＴＸＯＰ内でマルチユーザＭＩＭＯ（ＭＵ−ＭＩＭＯ）又はＯＦＤＭＡ技術の１つに従って、前記ＨＥ  ＳＴＡの少なくとも一部からの前記アップリンクマルチユーザデータユニットの１つ以上を処理するよう構成される、請求項１６記載の装置。
【請求項１８】
前記リソースユニットを割り当てるためのシグナリングを含む前記トリガフレームを送信し、
前記アップリンクデータユニットを受信するよう構成される送受信回路を更に有する、請求項１６記載の装置。
【請求項１９】
前記送受信回路に結合される２つ以上のアンテナを更に有する、請求項１８記載の装置。
【請求項２０】
マスタステーションとして高効率（ＨＥ）処理用に構成されたアクセスポイントの装置の１つ以上のプロセッサによる実行用の命令を格納する非一時的なコンピュータ可読記憶媒体であって、
前記命令は、
アップリンクデータ送信のため複数のＨＥステーション（ＨＥ  ＳＴＡ）のそれぞれに単一のリソースユニットの割当てを含むリソースユニットを割り当てるようトリガフレームを構成する処理であって、前記アクセスポイントの装置は、以下、
２個のパイロットトーンを有する８個の２６トーンリソースユニットを有する２０ＭＨｚ直交周波数分割多重接続（ＯＦＤＭＡ）ブロックと、ヌルトーンの両側に１３トーンを有する２６トーンリソースユニット、
４個のパイロットトーンを有する５２トーンリソースユニットを有する前記２０ＭＨｚ  ＯＦＤＭＡブロックと、前記ヌルトーンの両側に１３トーンを有する前記２６トーンリソースユニット、
４個のパイロットトーンを有する２個の１０６トーンリソースユニットを有する前記２０ＭＨｚ  ＯＦＤＭＡブロックと、前記ヌルトーンの両側に１３トーンを有する前記２６トーンリソースユニット、及び、
８個のパイロットトーンを有する１個の２４２トーンリソースユニットを有する前記２０ＭＨｚ  ＯＦＤＭＡブロック、のそれぞれに従って前記リソースユニットを割り当てるよう構成され、各ＨＥ  ＳＴＡには、１個の２０ＭＨｚ  ＯＦＤＭＡブロック内で前記単一のリソースユニットが割り当てられる、処理と、
前記２０ＭＨｚ  ＯＦＤＭＡブロック内で前記ＨＥ  ＳＴＡの少なくとも一部から受信される１つ以上のアップリンクデータユニットを処理する処理であって、前記アップリンクデータユニットは、前記トリガフレームに応答して、前記マスタステーションによって取得される送信機会（ＴＸＯＰ）内で受信される、処理と、
を実行するよう前記装置を構成する記憶媒体。
【請求項２１】
前記命令は、
前記複数のＨＥ  ＳＴＡに送信するための前記トリガフレームを生成するよう前記装置を更に構成し、
前記トリガフレームは、前記２０ＭＨｚ  ＯＦＤＭＡブロック内で前記リソースブロックを割り当てるためのシグナリングを含み、
前記リソースユニットの１つは、前記複数のＨＥ  ＳＴＡのそれぞれに割り当てられる、請求項２０記載の記憶媒体。
【発明の詳細な説明】
【技術分野】
【０００１】
［優先権主張］
本出願は、それぞれが参照することによってその全体がここに援用される、２０１４年１２月３日に出願された米国仮特許出願第６２／０８７，１７３号及び２０１５年１月２９日に出願された米国仮特許出願第６２／０８７，１７３号に対する優先権の利益を主張する２０１５年３月２７日に出願された米国特許出願第１４／６７０，９２４号に対する優先権の利益を主張する。
【０００２】
実施形態は、無線ローカルエリアネットワーク（ＷＬＡＮ）における無線通信に関する。いくつかの実施例は、直交周波数分割多重接続（ＯＦＤＭＡ）のトーン割当て設計に関する。いくつかの実施例は、帯域幅のリソース割当てに関する。いくつかの実施例は、アップリンク又はダウンリンク送信機会のためのリソース割当てに関する。いくつかの実施例は、電気電子技術者協会（ＩＥＥＥ）８０２．１１ａｘ規格に関する。
【背景技術】
【０００３】
無線ローカルエリアネットワーク（ＷＬＡＮ）における１つの問題は、無線ネットワークを効率的に使用することである。しばしば、無線媒体を共有する多くの装置が存在し、無線媒体をどのように共有するかを決定することが困難な場合がある。さらに、ＯＦＤＭＡの使用では、無線媒体は、複数の無線装置によって同時に使用されうる。さらに、無線ネットワークは、レガシープロトコルを含む異なるプロトコルをサポートしうる。
【０００４】
従って、無線媒体を効率的に使用するため、特に、ＯＦＤＭＡの使用のために無線媒体をどのように割当てるかを決定するためのシステム及び方法の一般的なニーズがある。
【図面の簡単な説明】
【０００５】
本開示は、同様の参照が同様の要素を示す添付図面の図において限定することなく例示的に説明される。
【図１】図１は、いくつかの実施例による無線ローカルエリアネットワーク（ＷＬＡＮ）を示す。
【図２】図２は、いくつかの実施例による２．４ＧＨｚ及び５ＧＨｚのためのトーン割当てを示すテーブルを示す。
【図３】図３は、いくつかの実施例による各運用帯域幅のリソースユニット（ＲＵ）サイズ、最大割当数、未使用トーン及び２×４９８による未使用トーンをまとめたテーブルを示す。
【図４】図４は、いくつかの実施例による２０ＭＨｚチャネルのＲＵの構成を示す。
【図５】図５Ａ及び５Ｂは、いくつかの実施例による４０ＭＨｚチャネルのＲＵの構成を示す。
【図６】図６Ａ及び６Ｂは、いくつかの実施例による８０ＭＨｚチャネルのＲＵの構成を示す。
【図７】図７は、いくつかの実施例による帯域幅のリソース割当てのための方法を示す。
【図８】図８は、いくつかの実施例による８０ＭＨｚの帯域幅の一例となるリソース割当てを示す。
【図９】図９は、いくつかの実施例による８０ＭＨｚの帯域幅の一例となるリソース割当てを示す。
【図１０】図１０は、いくつかの実施例によるＨＥＷ装置を示す。
【発明を実施するための形態】
【０００６】
以下の説明及び図面は、当業者がそれらを実施できるように特定の実施例を十分に説明する。他の実施例は、構造的、論理的、電気的、処理的及び他の変更を組み込んでもよい。いくつかの実施例の部分及び特徴は、他の実施例のものに含まれていてもよいし、又は置換されてもよい。請求項に与えられる実施例は、これら請求項の全ての利用可能な均等を包含する。
【０００７】
図１は、いくつかの実施例による無線ローカルエリアネットワーク（ＷＬＡＮ）を示す。ＷＬＡＮは、アクセスポイント（ＡＰ）、複数の高効率ＷＬＡＮ（ＨＥＷ）（例えば、ＩＥＥＥ８０２．１１ａｘ）ステーション１０４及び複数のレガシー（例えば、ＩＥＥＥ８０２．１１ｎ／ａｃ）装置１０６であってもよいマスタステーション１０２を含みうるベーシックサービスセット（ＢＳＳ）１００を有してもよい。
【０００８】
マスタステーション１０２は、８０２．１１通信プロトコルを用いて送受信するＡＰであってもよい。マスタステーション１０２は基地局であってもよい。マスタステーション１０２は、他の通信プロトコルと共に８０２．１１プロトコルを使用してもよい。８０２．１１プロトコルは、直交周波数分割多重接続（ＯＦＤＭＡ）、時分割多重接続（ＴＤＭＡ）及び／又は符号分割多重接続（ＣＤＭＡ）を使用することを含んでもよい。８０２．１１プロトコルは、多重接続技術を含んでもよい。例えば、８０２．１１プロトコルは、空間分割多重接続（ＳＤＭＡ）及び／又はマルチユーザ（ＭＵ）ＭＩＭＯ（Ｍｕｌｔｉｐｌｅ−Ｉｎｐｕｔ  ａｎｄ  Ｍｕｌｔｉｐｌｅ−Ｏｕｔｐｕｔ）（ＭＵ−ＭＩＭＯ）を含んでもよい。
【０００９】
ＨＥＷステーション１０４は、８０２．１１ａｘ又は８０２．１１の別の規格に従って動作してもよい。レガシー装置１０６は、８０２．１１ａ／ｇ／ｎ／ａｃ規格の１つ以上又は別のレガシー無線通信規格に従って動作してもよい。例示的な実施例では、ＨＥＷステーション１０４は、高効率（ＨＥ）ステーションと呼ばれてもよい。レガシー装置１０６は、ステーションであってもよい。
【００１０】
ＨＥＷステーション１０４は、携帯電話、携帯無線装置、無線眼鏡、無線時計、無線パーソナルデバイス、タブレット又は８０２．１１ａｘなどの８０２．１１プロトコル又は別の無線プロトコルを用いて送受信しうる他の装置などの無線送受信装置であってもよい。
【００１１】
ＢＳＳ１００は、プライマリチャネル及び１以上のセカンダリチャネル又はサブチャネルで動作しうる。ＢＳＳ１００は１以上のマスタステーション１０２を含んでもよい。実施例によると、マスタステーション１０２は、セカンダリチャネル又はサブキャチャネルの１つ以上又はプライマリチャネル上でＨＥＷステーション１０４の１つ以上と通信してもよい。他の例示的な実施例では、マスタステーション１０２は、セカンダリチャネル又はサブチャネル上でレガシー装置１０６と通信する。例示的な実施例では、マスタステーション１０２は、セカンダリチャネルの１つ以上においてＨＥＷステーション１０４の１つ以上と、また、セカンダリチャネルを使用することなくプライマリチャネルのみを使用するレガシー装置１０６と同時に通信するよう構成されてもよい。例示的な実施例では、マスタステーション１０２は、セカンダリチャネルの１つ以上においてＨＥＷステーション１０４の１つ以上と、また、プライマリチャネル及びセカンダリチャネルにおいてレガシー装置１０６と同時に通信してもよい。
【００１２】
マスタステーション１０２は、レガシーＩＥＥＥ８０２．１１通信技術に従ってレガシー装置１０６と通信してもよい。例示的な実施例では、マスタステーション１０２は、レガシーＩＥＥＥ８０２．１１通信技術に従ってＨＥＷステーション１０４と通信するよう構成されてもよい。レガシーＩＥＥＥ８０２．１１通信技術は、ＩＥＥＥ８０２．１１前の何れかのＩＥＥＥ８０２．１１通信技術を指すものであってもよい。
【００１３】
いくつかの実施例では、ＨＥＷフレームは、同じ帯域幅を有するように構成可能であり、帯域幅は、２０ＭＨｚ、４０ＭＨｚ、８０ＭＨｚ、１６０ＭＨｚ又は３２０ＭＨｚの連続的な帯域幅又は８０＋８０ＭＨｚ（１６０ＭＨｚ）の非連続な帯域幅の１つであってもよい。いくつかの実施例では、サブキャリア間隔に７８．１２５ＫＨｚが使用されてもよく、これは、２０ＭＨｚの帯域幅について２５６個のサブキャリア又はトーンを提供しうる。いくつかの実施例では、２０ＭＨｚ（２５６トーン）、２．０３１２５ＭＨｚ（２６トーン）、４．０６２５ＭＨｚ（５２トーン）、８．１２５ＭＨｚ（１０４トーン）及び１８．９０６２５（２４２トーン）の帯域幅又はこれらの組み合わせがまた利用されてもよい。いくつかの実施例では、帯域幅は、使用されるトーンの数に応じて変化し得る。いくつかの実施例では、３２０ＭＨｚよりも小さくてもよい異なる帯域幅が使用される。例えば、１０４個のトーンのうち１０２個のデータトーンのみが使用され、残りのトーンのいくつかはパイロット用に使用されてもよく、例えば、４，５又は６個のトーンがパイロット用に使用されてもよい。このとき、例示的な実施例では、正確な帯域幅は、１０２データ＋４パイロット＝１０６×７８．１２５ＫＨｚ＝８．２８１２５ＭＨｚ、１０２データ＋５パイロット＝１０７×７８．１２５ＫＨｚ＝８．３５９３７５ＭＨｚ、及び１０２データ＋６パイロット＝１０８×７８．１２５ＫＨｚ＝８．４３７５ＭＨｚとなるであろう。ＨＥＷフレームは、複数の空間ストリームを送信するよう構成されてもよい。
【００１４】
他の実施例では、マスタステーション１０２、ＨＥＷステーション１０４及び／又はレガシー装置１０６はまた、ＣＤＭＡ２０００、ＣＤＭＡ２０００  １Ｘ、ＣＤＭＡ２０００  ＥＶ−ＤＯ、Ｉｎｔｅｒｉｕｍ  Ｓｔａｎｄａｒｄ  ２０００（ＩＳ−２０００）、Ｉｎｔｅｒｉｕｍ  Ｓｔａｎｄａｒｄ  ９５（ＩＳ−９５）、Ｉｎｔｅｒｉｕｍ  Ｓｔａｎｄａｒｄ  ８５６（ＩＳ−８５６）、Ｌｏｎｇ  Ｔｅｒｍ  Ｅｖｏｌｕｔｉｏｎ（ＬＴＥ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ｅｎｈａｎｃｅｄ  Ｄａｔａ  ｒａｔｅ  ｆｏｒ  ＧＳＭ  Ｅｖｏｌｕｔｉｏｎ（ＥＤＧＥ）、ＧＳＭ  ＥＤＧＥ（ＧＥＲＡＮ）、ＩＥＥＥ８０２．１６（すなわち、Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＢｌｕｅＴｏｏｔｈ（登録商標）又は他の技術などの異なる技術を実装してもよい。
【００１５】
例示的な実施例では、マスタステーション１０２がプライマリチャネル上でのみビーコンを送信する場合、ＨＥＷステーション１０４及びレガシー装置１０６は、システム（例えば、マスタステーション１０２）との自らの同期を維持するため、ビーコン間隔の倍数毎（例えば、毎ビーコン間隔、ビーコン間隔１０回毎）にプライマリチャネル上でビーコンを受信する必要がある。
【００１６】
例示的な実施例では、ＨＥＷステーション１０４及び／又はマスタステーション１０２は、帯域幅のリソース割当ての生成、ＨＥＷステーション１０４へのリソース割当ての送信、リソース割当ての受信及びリソース割当てに従う実行など、図１〜８と共に説明される機能を実行するよう構成される。
【００１７】
いくつかの実施例は、高効率ＷＬＡＮ（ＨＥＷ）通信を含む高効率無線通信に関する。いくつかのＩＥＥＥ８０２．１１ａｘ（ＨＥＷ）の実施例によると、マスタステーション１０２は、ＨＥＷ制御期間（すなわち、送信機会（ＴＸＯＰ））における媒体の排他的な制御を受信するため（例えば、競合期間中）無線媒体を競合するよう構成されうるマスタステーションとして動作してもよい。マスタステーション１０２は、ＨＥＷ制御期間の始めにトリガフレームを送信してもよい。マスタステーション１０２は、ＴＸＯＰのタイムデュレーションを送信してもよい。ＨＥＷ制御期間中、ＨＥＷステーション１０４は、非競合ベースの多重接続技術に従って、マスタステーション１０２と通信してもよい。これは、装置が多重接続技術でなく競合ベース通信技術に従って通信する従来のＷＬＡＮ通信と異なる。ＨＥＷ制御期間中、マスタステーション１０２は、１つ以上のＨＥＷフレームを使用してＨＥＷステーション１０４と通信してもよい。ＨＥＷ制御期間中、レガシー装置１０６は、通信を控えてもよい。いくつかの実施例では、トリガフレームは、ＨＥＷ制御及びスケジュール送信と呼ばれてもよい。
【００１８】
いくつかの実施例では、ＨＥＷ制御期間中に使用される多重接続技術は、スケジューリングＯＦＤＭＡ技術であってもよいが、これは必須要件ではない。いくつかの実施例では、多重接続技術はＭＵ−ＭＩＭＯであってもよい。いくつかの実施例では、多重接続技術は、ＯＦＤＭＡ技術とＭＵ−ＭＩＭＯ技術との組み合わせであってもよい。いくつかの実施例では、多重接続技術は、ＴＤＭＡ技術又はＦＤＭＡ技術であってもよい。いくつかの実施例では、多重接続技術はＳＤＭＡ技術であってもよい。
【００１９】
マスタステーション１０２はまた、レガシーＩＥＥＥ８０２．１１通信技術に従って、レガシー装置１０６と通信してもよい。いくつかの実施例では、マスタステーション１０２はまた、レガシーＩＥＥＥ８０２．１１通信技術に従ってＨＥＷ制御期間外にＨＥＷステーション１０４と通信するよう構成されてもよいが、これは必須要件ではない。
【００２０】
図２は、いくつかの実施例による２．４ＧＨｚ及び５ＧＨｚのトーン割当てを示すテーブル２００を示す。２０ＭＨｚ２０８、４０ＭＨｚ２１０及び８０ＭＨｚ２１２のサブキャリアについて、高速フーリエ変換（ＦＦＴ）サイズ２０２、ＤＣ及びエッジトーン（ＤＣ＋ＥＤＧＥ）２０４及び利用可能トーンが図２に示される。トーン割当ては、２．４ＧＨｚ及び５ＧＨｚ２１４の双方について同じであってもよい。いくつかの実施例では、ＤＣ＋ＥＤＧＥ２０４に割当てられるトーンの数は、異なる数のトーンであってもよい。
【００２１】
図３は、いくつかの実施例による２０ＭＨｚ３１６、４０ＭＨｚ３１８及び８０ＭＨｚ３２０を含む各帯域幅３２２について、リソースユニット（ＲＵ）サイズ３０８、最大割当数３１０、未使用トーン３１２及び２×４９８による未使用トン３１４をまとめたテーブル３００を示す。図３にはまた、各帯域幅３２２についてＦＦＴサイズ３０２、ＤＣ＋ＥＤＧＥ３０４及び利用可能トーン３０６が示される。
【００２２】
ＲＵサイズ３０８は、帯域幅３２２に割り当てられ得るＲＵサイズ３０８を示す。２０ＭＨｚ３１６について、ＲＵサイズ３０８は２６、５２、１０４及び２４２トーンである。４０ＭＨｚ３１８について、ＲＵサイズ３０８は２６、５２、１０４、２４２及び４９８トーンである。８０ＭＨｚ３２０について、ＲＵサイズ３０８は２６、５２、１０４、２４２、４９８及び９９６トーンである。最大割当数３１０は、帯域幅３２２に対してＲＵが割当てられうるＨＥＷステーション１０４の最大数を示す。以下は、ＨＥＷステーション１０４の最大数が異なる帯域幅３２２に対してどのように実現され得るかを示す。２０ＭＨｚ３１６について、９個のＨＥＷステーション１０４にそれぞれ２６トーンが割り当てられてもよい。４０ＭＨｚ３１８について、９個のＨＥＷステーション１０４にそれぞれ２６トーンが割り当てられ、１つのＨＥＷステーション１０４に２４２トーンが割り当てられてもよい。８０ＭＨｚ３２０について、９個のＨＥＷステーション１０４にそれぞれ２６トーンが割り当てられ、１つのＨＥＷステーション１０４に２４２トーンが割り当てられ、１つのＨＥＷステーション１０４に４９８トーンが割り当てられてもよい。
【００２３】
未使用トーン３１２は、２６、５２、１０４及び２４２のＲＵサイズが利用される際の未使用トーン数を示す。未使用トーン３１４の２×４９８は、２つの４９８ＲＵが利用される際の未使用トーン数を示す。
【００２４】
図４は、いくつかの実施例による２０ＭＨｚチャネル４００のＲＵの構成を示す。トーンインデックス４０２が水平軸に沿って示され、使用可能トーン４０４及び異なるＲＵ構成が垂直軸に沿って示される。
【００２５】
使用可能トーン４０４は、ＲＵに利用可能なトーンを示す。２６トーンのＲＵ４０６は、９個の２６トーンＲＵが存在するトーン構成である。０のトーンインデックス４０２と、０のトーンインデックス４０２に跨る１つの２６トーンＲＵとの何れかの側に４つの２６トーンＲＵがある。黒のライン４１４は、８つの２６トーンＲＵの間の８つのインタレースされたヌルサブキャリアを示す。５２トーンＲＵ及び１つの２６トーンＲＵ４０８は、４つの５２トーンＲＵ及び１つの２６トーンＲＵが存在する別のトーン構成である。黒いライン４１６は、５２トーンＲＵの間の２つのヌルを示す。１０４トーンＲＵ及び１つの２６トーンＲＵは、２つの２０４トーンＲＵ及び１つの２６トーンＲＵが存在する別のトーン構成である。黒色のライン４１８は、１０４トーンＲＵと中央の２６トンＲとの間の４つのヌルであってもよい。２４２トーンＲＵ４１２は、０のトーンインデックス４０２において中央にヌルを有する１つの２４２トーンＲＵが存在する別のトーン構造である。当業者は、異なる数のヌルを使用できることを認識するであろう。
【００２６】
例示的な実施例では、リソース割当ては、２０ＭＨｚチャネルからの１〜９個のＲＵを含んでもよい。リソース割当ては、９個全てが２６トーンＲＵ４０６である９個のＲＵを含んでもよい。リソース割当ては、５つの２６トーンＲＵ４０６及び２つの５２トーンＲＵを有する７つのＲＵを含んでもよい。リソース割当ては、５つの２６トーンＲＵ及び１つの１０４トーンＲＵを有する６つのＲＵを含んでもよい。リソース割当ては、１つの２４２トーンＲＵ４１２を含んでもよい。例示的な実施例では、ヌルは異なって分散されてもよく、より少数又はより多数のヌルがあってもよい。
【００２７】
図５Ａ及び図５Ｂは、いくつかの実施例による４０ＭＨｚチャネル５００、５５０のＲＵの構成を示す。トーンインデックス５０２は水平軸に沿って示され、異なるＲＵ構成が垂直軸に沿って示される。図５Ａにおいて、２つの２０ＭＨｚチャネル５１４、５１６を含みうる４０ＭＨｚチャネル５００のＲＵの構成が示される。例示的な実施例では、２０ＭＨｚチャネル５１４、５１６の一方は、図４を参照して説明された２０ＭＨｚチャネル４００のＲＵの構成の１つを有し、他方の２０ＭＨｚチャネル５１４、５１６は１つの２４２トーンＲＵ５０４を有してもよい。４０ＭＨｚチャネル５００のＲＵの構成は、中央にヌル５１０を有する１つの４９８トーンＲＵ５０６を含んでもよい。例示的な実施例では、２０ＭＨｚチャネル５１４、５１６の両方が、図４を参照して説明された２０ＭＨｚチャネル４００のＲＵの構成を有してもよい。
【００２８】
例示的な実施例では、４０ＭＨｚチャネルの最大ＲＵは１０であり、これは図４を参照して説明された２０ＭＨｚチャネルの最大９つのＲＵと、中間にヌル５０８を含む１つの２４２トーンＲＵ５０４とを含む。２０ＭＨｚチャネル４００のＲＵの構成と２４２トーンＲＵ５０４との間にはヌル５１０が存在してもよい。
【００２９】
図５Ｂにおいて、４０ＭＨｚチャネル５５０のＲＵの構成が示される。使用可能トーン５５４は、ＲＵについて利用可能なトーンを示す。２６トーンＲＵ５５６は、１８個の２６トーンＲＵが存在するトーン構成である。２つの２０ＭＨｚチャネル５１４、５１６のそれぞれについて中間５６４に２６トーンＲＵの一方の側に４つの２６トーンＲＵが存在してもよい。インタレースされたヌルサブキャリア及び／又はパイロットトーンは、１８個の２６トーンＲＵ５５６の一部又はその間にあってもよい。５２トーンＲＵ及び２６トーンＲＵ５５８は、２つの２０ＭＨｚチャネル５１４、５１６のそれぞれについて２６トーンＲＵ５６４の一方の側に２つの５２トーンＲＵを有するトーン構成である。インタレースされたヌルサブキャリア及び／又はパイロットトーンは、８個の５２トーンＲＵ及び２つの２６トーンＲＵ５６４の一部又はその間にあってもよい。１０４トーンＲＵ及び２６トーンＲＵ５６０は、２つの２０ＭＨｚチャネル５１４、５１６のそれぞれについて２６トーンＲＵ５６４の一方の側に２つの１０４トーンＲＵを有するトーン構成である。インタレースされたヌルサブキャリア及び／又はパイロットトーンは、４個の１０４トーンＲＵ及び２つの２６トーンＲＵ５６４の一部又はその間にあってもよい。２４２トーンＲＵ５６２は、２つの２４２トーンＲＵを有するトーン構成である。インタレースされたヌルサブキャリア及び／又はパイロットトーンは、２個の２４２トーンＲＵ５６２の一部又はその間にあってもよい。４９８トーンＲＵ５６８は、１つの４９８トーンＲＵ５６８を有するトーン構成である。インタレースされたヌルサブキャリア及び／又はパイロットトーンは、４９８トーンＲＵ５６４の一部であってもよい。
【００３０】
図６Ａ及び図６Ｂは、いくつかの実施例による８０ＭＨｚチャネル６００，６５０のためのＲＵの構成を示す。トーンインデックス６０２が水平軸に沿って示され、異なるＲＵ構成が垂直軸に沿って示され。図６Ａにおいて、２つの４０ＭＨｚチャネル６０８，６１０を含みうる８０ＭＨｚチャネル６００のＲＵのための構成が示される。例示的な実施例では、４０ＭＨｚチャネル６０８，６１０の一方は、図５Ａ及び図５Ｂに関して説明した４０ＭＨｚチャネル５００，５５０のＲＵの構成の１つを有してもよく、他方の４０ＭＨｚチャネル６０８，６１０は、１つの４９８トーンＲＵ６０４を有してもよい。例示的な実施例では、４０ＭＨｚチャネル６０８，６１０の双方が、図５Ａ及び図５Ｂにおいて説明された４０ＭＨｚチャネル５００，５５０のＲＵの構成を有してもよい。８０ＭＨｚチャネル６００のＲＵの構成は、中央においてヌル６１２を有する１つの９９６トーンＲＵ６０６を有してもよい。
【００３１】
例示的な実施例では、８０ＭＨｚチャネルの最大のＲＵは１１個であり、それは、図４を参照して説明された２０ＭＨｚチャネルの最大９個のＲＵと、図５Ａを参照して説明された１つの２４２トーンＲＵ５０４と、１つの４９８トーンＲＵ６０４とを含む。４０ＭＨｚチャネル５００のＲＵの構成と４９８トーンＲＵ６０４との間にはヌル６１２があってもよい。
【００３２】
８０ＭＨｚチャネル６００のＲＵのための構成は、１６０ＭＨｚ又は８０＋８０チャネル幅で使用するために容易にスケーリングされてもよく、次の８０ＭＨは完全な８０ＭＨｚチャネル又は１６０ＭＨｚチャネル全体となる。
【００３３】
図６Ｂにおいて、８０ＭＨｚチャネル６５０のＲＵのための構成が示される。使用可能トーン６５４は、ＲＵに利用可能なトーンを示す。２６個のトーンＲＵ６５６は３７個の２６トーンＲＵを有するトーン構造である。インタレースされたヌルサブキャリア及び／又はパイロットトーンは、３７個の２６トーンＲＵ６５４の一部又はその間であってもよい。
【００３４】
５２トーンＲＵ及び２６トーンＲＵ６５８は、中央に１つの２６トーンＲＵ６５２を有する１６個の５２トーンＲＵ及び５個の２６トーンＲＵを有するトーン構成である。インタレースされたヌルサブキャリア及び／又はパイロットトーンは、８個の１０４トーンＲＵ及び５個の２６トーンＲＵ６６０の一部又はその間にあってもよい。
【００３５】
２４２トーンＲＵ及び２６トーンＲＵ６６２は、４個の２４２トーンＲＵと１つの２６トーンＲＵ６５２とを有するトーン構成である。
【００３６】
インタレースされたヌルサブキャリア及び／又はパイロットトーンは、４個の２４２トーンＲＵ６６２と２６トーンＲＵ６５２の一部又はそれらの間にあってもよい。４９８トーンＲＵ及び２６トーンＲＵ６６４は、２つの４９８トーンＲＵと１つの２６トーンＲＵ６５２とを有するトーン構成である。インタレースされたヌルサブキャリア及び／又はパイロットトーンは、２つの４９８トーンＲＵと１つの２６トーンＲＵ６５２との一部であってもよい。９９６トーンＲＵ６６６は１つの９９６トーンＲＵを有するトーン構成である。インタレースされたヌルサブキャリア及び／又はパイロットトーンは、９９６トーンＲＵ６６６の一部であってもよい。当業者は、トーン数はヌルサブキャリア及びパイロットトーンについていくつのトーンが使用されるかに従って可変的であってもよいことを認識するであろう。
【００３７】
図７は、いくつかの実施例による帯域幅のリソース割当てのための方法７００を示す。方法７００は、各リソース割当てが基本リソース割当て又は第１の部分全体の倍数である帯域幅の第１部分のためのリソース割当てを生成する処理７０２から開始される。例えば、マスタステーション１０２は、アップリンク又はダウンリンクのマルチユーザ送信機会であってもよい８０２．１１ａｘにおけるマルチユーザ処理のためのＯＦＤＭＡトーン割当てのためのリソース割当てを決定してもよい。
【００３８】
波形は、従来規格ＩＥＥＥ８０２．１１ａ／ｇ／ｎ／ａｃなどの既存のＩＥＥＥ８０２．１１規格に規定される既存のＩＥＥＥ８０２．１１ＯＦＤＭＡ波形（ＶＨＴ、ＨＴ又は非ＨＴ）より４倍（４ｘ）長いシンボルデュレーションにより処理されてもよい。例えば、波形は１３．２ミリ秒（μｓ）と１６μｓとの間であってもよい。
【００３９】
レガシーシンボルデュレーションは、以下のいずれかであってもよく、短いサイクリックプリフィックス（ＣＰ）について、３．２μｓ＋０．４μｓ＝３．６μｓと、通常のＣＰについて、３．μｓ＋０．μｓ＝４μｓとである。レガシーシンボルデュレーションの４倍は、以下のうちの１つであってもよく、短いＣＰについて、（３．２）×４＋０．４＝１３．２μｓと、長いＣＰについて、（３．２）×４＋（０．８×４）＝１６μｓである。  １０２４ポイントの高速フーリエ変換（ＦＦＴ）は、４×１１ｎ／ａｃのシンボルデュレーションで使用されてもよく、屋外及び屋内環境の両方で使用されてもよい。例示的な実施例では、屋外環境では、より長いシンボルデュレーションの４倍が、より長い遅延スプレッドを克服するためのより効率的なＣＰの使用を可能にし、屋内環境において、クロックタイミング精度のより緩やかな要件を可能にする。
【００４０】
基本的なリソース割当ては２６トーンであってもよい。リソース割当ては、２０ＭＨｚチャネル４００（図４）のＲＵのための構成のリソース割当ての１つであってもよい。例えば、リソース割当ては、９つの２６トーンリソース割当て、４つの５２トーン割当てなどであってもよい。リソース割当てはまた、２４２トーンの全帯域幅であってもよい。ＯＦＤＭＡ割当ては、図４、５Ａ、５Ｂ、６Ａ及び６Ｂに示されるような固定的な位置を有してもよい。
【００４１】
方法７００は、割当てられる帯域幅のより多くの部分があるかどうかを判定する処理７０４に続く。割当てようとする帯域幅のより多くの部分が存在する場合、方法７００は処理７０６に進み、帯域幅の次の部分のためのリソース割当てを生成する。例示的な実施例では、次の部分の帯域幅は、結合されたすべての先行する割当ての帯域幅と少なくとも同じである。例えば、割当てる帯域幅は、２０ＭＨｚ、４０ＭＨｚ、８０ＭＨｚ、１６０ＭＨｚ又は他の帯域幅の値であってもよい。帯域幅は８０ＭＨｚであってもよく、この場合、次の部分は、２４２トーンＲＵ５０４であってもよい次の２０ＭＨｚチャネル５１６（図５Ａ）に対するものであってもよく、あるいは、４０ＭＨｚチャネル全体が４９８トーンＲＵ５０６に割り当てられてもよい。次の２０ＭＨｚチャネル５１６の割当ては、第１の２０ＭＨｚチャネル５１４における何れの割当てと少なくとも同じ大きさであり、２４２トーンＲＵ５０４は次の２０ＭＨｚチャネル５１６において最も小さく、第１の２０ＭＨｚチャネル５１４における最大の割当ては２４２トーンであるためである。
【００４２】
例示的な実施例では、次の部分の割当ては、基本リソース割当ての倍数又は次の部分の帯域幅全体である。例えば、基本リソース割当ては、２０ＭＨｚに等しい帯域幅について２６トーン、５２トーン、１０４トーン又は２４２トーン、４０ＭＨｚに等しい帯域幅について２６トーン、５２トーン、１０４トーン、２４２トーン又は４９８トーン、８０ＭＨｚに等しい帯域幅について２６トーン、５２トーン、１０４トーン、２４２トーン、４９８トーン又は９９６トーンであってもよい。
【００４３】
方法７００は、割当てる帯域幅のより多くの部分があるかどうかを判定する処理７０４に戻ってもよい。図６Ａに示されるように、割当てるべき別の４０ＭＨｚチャネル６１０があってもよい。方法７００は、帯域幅の次の部分のためのリソース割当てを生成する処理７０６に続いてもよい。例示的な実施例では、帯域幅の次の部分は、結合されたすべての先行する割当ての帯域幅と少なくとも同じ大きさである。第２の４０ＭＨｚチャネル６１０のために利用可能なリソース割当ては、双方が第１の４０ＭＨｚチャネル６０８のための何れかのリソース割当てと少なくとも同じ大きさである、８０ＭＨｚチャネル全体について１つの９９６トーンＲＵ６０６又は４９８トーンＲＵ６０４である。例示的な実施例では、次の部分の割当ては、基本リソース割当ての倍数又は次の部分の全帯域幅である。
【００４４】
方法７００は、割当てる帯域幅のより多くの部分があるか判定する処理７０４に戻ってもよい。割当てようとする帯域幅の部分がそれ以上存在しない場合、この場合、方法７００は、リソース割当てを送信する処理７０８に続く。例えば、マスタステーション１０２は、１つ以上のＨＥＷステーション１０４にリソース割当を送信してもよい。例示的な実施例では、マスタステーション１０２は、マスタステーション１０２に関連するＨＥＷステーション１０４の数に基づき、リソース割当てのサイズを決定してもよい。例示的な実施例では、割当てる帯域幅のより多くの部分があったかもしれない。例えば、帯域幅は１６０ＭＨｚ又は３２０ＭＨｚであってもよい。
【００４５】
例示的な実施例は、各帯域幅において限られた数の多重化されたユーザを提供する。例えば、図４では、２０ＭＨｚのＢＳＳは９人までのユーザを提供し、図５Ａ及び５Ｂでは、４０ＭＨｚのＢＳＳは１０人までのユーザを提供し、図６Ａ及び６Ｂでは、８０ＭＨｚのＢＳＳは１１人までのユーザを提供する。例示的な実施例では、１６０ＭＨｚのＢＳＳ（図示せず）は１２人までのユーザを提供し、３２０ＭＨｚのＢＳＳ（図示せず）は１３人までのユーザを提供しうる。
【００４６】
いくつかの実施例による８０ＭＨｚ帯域幅８０４の一例となるリソース割当て８００を示す。図８において、８０ＭＨｚ帯域幅８０４、２０ＭＨｚチャネル８０６、２０ＭＨｚチャネル８０８、４０ＭＨｚチャネル８１０、トーンインデックス８０２及びＲＵ割当て８１２，８１４，８１６，８１８，８２０，８２２が示される。
【００４７】
ＲＵ割当て８１２は、２６トーンＲＵ４０６（図４）に示すように、９個の２６トーンリソース割当てを含むものであってもよい。ＲＵ割当て８１４は、５２トーンＲＵ４０８に示されるように、２つの５２トーンリソース割当てを含むものであってもよい。ＲＵ割当て８１６は、図４に示される中央の２６トーンＲＵなどの２６トーン割当てであってもよい。ＲＵ割当て８１８は、１０４トーンＲＵ４１０に示されるような１０４トーン割当てであってもよい。ＲＵ割当て８２０は、２６トーン割当てであってもよい。ＲＵ割当て８２２は、２４２トーンＲＵ５０４（図５Ａ）のような２つの２４２トーン割当てであってもよい。
【００４８】
図９は、いくつかの実施例による８０ＭＨｚ帯域幅９２２の一例となるリソース割当て９００を示す。図９において、８０ＭＨｚ帯域幅９２２、４０ＭＨｚチャネル９１６、２０ＭＨｚチャネル９１８、２０ＭＨｚチャネル９２０、トーンインデックス９０２及びＲＵ割当て９０４、９０６、９０７、９０８、９１０、９１２、９１４が示される。
【００４９】
ＲＵ割当て９０４は、４０ＭＨｚチャネル６０８（図６Ａ）に関して示されたものなどの４０ＭＨｚ幅のＲＵである。ＲＵ割当て９０６は２６トーンＲＵであってもよい。ＲＵ割当て９０７は、２６トーンＲＵ４０６（図４）などの２つの２６トーンＲＵを含む、ＲＵ割当て９０８は、５２トーンＲＵ４０８などの５２トーンＲＵである。ＲＵ割当て９１０は、図４において０を跨る２６トーンＲＵなどの２６トーン割当てである。ＲＵ割当て９１２は、１０４トーンＲＵ４１０などの１０４トーンＲＵである。ＲＵ割当て９１４は、２４２トーンＲＵ４１２などの２４２トーン割当てである。
【００５０】
次に、２０ＭＨｚチャネル９１８の帯域幅は、２６トーンＲＵ４０６からの２つの２６トーンＲＵ、１つの５２トーンＲＵと１つの２６トーンＲＵ４０８、及び１つの１０４トーンＲＵ４１０のように分割されてもよい。
【００５１】
図１０は、いくつかの実施例によるＨＥＷ装置１０００を示す。ＨＥＷ装置１０００は、ＨＥＷステーション１０４（図１）又はマスタステーション１０２（図１）などの１つ以上のＨＥＷ装置と通信すると共に、レガシー装置１０６（図１）と通信するよう構成されうるＨＥＷに準拠した装置であってもよい。ＨＥＷステーション１０４及びレガシー装置１０６はまたそれぞれ、ＨＥＷステーション（ＳＴＡ）及びレガシーＳＴＡとして参照されうる。実施例によると、ＨＥＷ装置１０００は、マスタステーション１０２（図１）又はＨＥＷステーション１０４（図１）として動作するのに適したものであってもよい。実施例によると、ＨＥＷ装置１０００は、特に、アンテナなどの送受信要素１００１、送受信機１００２、物理層回路（ＰＨＹ）１００４及び媒体アクセス制御層回路（ＭＡＣ）１００６を含みうる。ＰＨＹ１００４及びＭＡＣ１００６は、ＨＥＷに準拠したレイヤであってもよく、また１つ以上のレガシーＩＥＥＥ８０２．１１規格に準拠してもよい。ＭＡＣ１００６は、特に、物理プロトコルデータユニット（ＰＰＤＵ）を構成し、ＰＰＤＵを送受信するように構成されてもよい。ＨＥＷ装置１０００はまた、ここに説明される様々な処理を実行するように構成された他の回路１００８及びメモリ１０１０を含むことができる。回路１００８はハードウェア処理回路であってもよい。回路１００８は、送受信要素１００１に結合されうる送受信機１００２に結合されてもよい。図１０は、回路１００８及び送受信機１００２を別個の構成要素として示すが、回路１００８及び送受信機１００２は、電子パッケージ又はチップに一体化されてもよい。
【００５２】
いくつかの実施例では、ＭＡＣ１００６は、ＨＥＷ制御期間において媒体の制御を受信し、ＨＥＷ  ＰＰＤＵを構成するため、競合期間中に無線媒体を競合するよう構成されてもよい。いくつかの実施例では、ＭＡＣ１００６は、チャネル競合設定、送信電力レベル及びクリアチャネルアセスメント（ＣＣＡ）レベルに基づき、無線媒体を競合するよう構成されてもよい。
【００５３】
ＰＨＹ１００４は、ＨＥＷ  ＰＰＤＵを送信するよう構成されてもよい。ＰＨＹ１００４は、変調／復調、アップコンバージョン／ダウンコンバージョン、フィルタリング、増幅などのための回路を含んでもよい。いくつかの実施例では、回路１００８は１つ以上のプロセッサを含んでもよい。回路１００８は、ＲＡＭ又はＲＯＭに格納された命令に基づき、又は専用回路に基づき機能を実行するように構成されてもよい。いくつかの実施例では、回路１００８は、図１〜１０に関連してここに説明された機能の１つ以上を実行するよう構成されてもよい。
【００５４】
いくつかの実施例では、２つ以上のアンテナ１００１がＰＨＹ１００４に結合され、ＨＥＷパケットの送信を含む信号を送受信するよう構成されてもよい。送受信機１００２は、ＨＥＷ装置１０００がパケットに含まれる設定に従ってチャネル競合設定を適合させるべきであるという指示を含む、ＨＥＷ  ＰＰＤＵ及びパケットなどのデータを送受信してもよい。メモリ１０１０は、帯域幅のリソース割当てを生成し、リソース割当てをＨＥＷステーション１０４に送信し、リソース割当てを受信し、リソース割当てに従って動作するなど、図１〜１０に関連して説明された機能を実行するようその他の回路を設定するための情報を記憶してもよい。
【００５５】
いくつかの実施例では、ＨＥＷ装置１０００は、マルチキャリア通信チャネルを介してＯＦＤＭＡ通信信号を使用して通信するよう構成されてもよい。いくつかの実施例では、開示された実施例の範囲はこれに限定されないが、ＨＥＷ装置１０００は、ＩＥＥＥ８０２．１１−２０１２、８０２．１１ｎ−２００９、８０２．１１ａｃ−２０１３、８０２．１１ａｘ、ＤｅｎｓｉＦｉ、ＷＬＡＮのための基地局及び又は提案された仕様又は図１に関連して説明された他の規格を含むＩＥＥＥ規格などの１つ以上の特定の通信規格に従って通信するよう構成されてもよく、ＨＥＷ装置１０００はまた他の技術及び規格に従って通信を送信及び／又は受信するのに適したものであってもよい。いくつかの実施例では、ＨＥＷ装置１０００は、８０２．１１ｎ又は８０２．１１ａｃの４×シンボルデュレーションを利用してもよい。
【００５６】
いくつかの実施例では、ＨＥＷ装置１０００は、無線通信機能を備えたパーソナルデジタルアシスタント（ＰＤＡ）、ラップトップ又はポータブルコンピュータ、ウェブタブレット、無線電話、スマートフォン、無線ヘッドセット、ページャ、インスタントメッセージング装置、デジタルカメラ、アクセスポイント、テレビ、医療装置（例えば、心拍モニタ、血圧モニタなど）、基地局、８０２．１１又は８０２．１６などの無線規格のための送受信装置又は情報を無線で受信及び／又は送信しうる他の装置などのポータブル無線通信装置の一部であってもよい。いくつかの実施例では、ポータブル無線通信装置は、キーボード、ディスプレイ、不揮発性メモリポート、複数アンテナ１００１、グラフィックスプロセッサ、アプリケーションプロセッサ、スピーカ及び他のモバイルデバイス要素のうちの１つ以上を含むものであってもよい。ディスプレイは、タッチスクリーンを含むＬＣＤスクリーンであってもよい。
【００５７】
アンテナ１００１は、例えば、ダイポールアンテナ、モノポールアンテナ、パッチアンテナ、ループアンテナ、マイクロストリップアンテナ又はＲＦ信号の送信に適した他のタイプのアンテナを含む、１つ以上の指向性又は全指向性アンテナを含んでもよい。いくつかの多入力多出力（ＭＩＭＯ）の実施例では、アンテナ１００１は、結果として得られる空間ダイバーシチ及び異なるチャネル特性の効果を取得するため、効果的に分離されてもよい。
【００５８】
ＨＥＷ装置１０００は、いくつかの別個の機能要素を有するものとして示されているが、機能要素の１つ以上は組み合わされてもよく、デジタル信号プロセッサ（ＤＳＰ）を含む処理要素などのソフトウェアにより設定された要素及び／又は他のハードウェア要素の組み合わせによって実現されてもよい。例えば、いくつかの要素は、１つ以上のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）及び少なくともここに記載された機能を実行する論理回路を含むものであってもよい。いくつかの実施例では、機能要素は、１つ以上の処理要素上で実行される１つ以上のプロセスを指してもよい。
【００５９】
以下の具体例は更なる実施例に関する。具体例１は、高効率無線ローカルエリアネットワーク（ＨＥＷ）マスタステーションである。ＨＥＷマスタステーションは、１つ以上のＨＥＷステーションのための帯域幅の１つ以上のリソース割り当てを生成し、ここで、帯域幅の第１の部分の各リソース割当ては、基本リソース割当ての倍数又は帯域幅の第１の部分全体であり、１つ以上のリソース割当てとデュレーションとを１つ以上のＨＥＷステーションに送信するよう構成された回路を含んでもよい。１つ以上のリソース割当ては、以下のグループの１つ、すなわち、デュレーションに基づく時間においてＨＥＷマスタステーションからのダウンリンクデータ送信とアップリンク送信機会との１つに対するものであってもよい。回路は更に、直交周波数分割多重接続（ＯＦＤＭＡ）に従って、及び１つ以上のリソース割当てに従って動作するよう構成されてもよい。
【００６０】
具体例２では、具体例１の主題は、任意的に、１つ以上のリソース割当てのそれぞれが、以下のグループ、すなわち、２０ＭＨｚに等しい帯域幅に対する２６トーン、５２トーン、１０４トーン及び２４２トーンと、４０ＭＨｚに等しい帯域幅の２６トーン、５２トーン、１０４トーン、２４２トーン及び４９８トーンと、８０ＭＨｚに等しい帯域幅の２６トーン、５２トーン、１０４トーン、２４２トーン、４９８トーン及び９９６トーンからの１つであることを含むことができる。
【００６１】
具体例３では、具体例１又は２の主題は、任意的に、１つ以上のリソース割当てが、帯域幅の１つ以上の後続部分に対する１つ以上のリソース割当てを含む場合と、帯域幅の１つ以上の後続部分に対する１つ以上のリソース割当てのそれぞれが、基本リソース割当ての倍数又は帯域幅の後続部分の全帯域幅である場合とを含むことができる。
【００６２】
具体例４では、具体例１〜３のいずれかの主題は、任意的に、１つ以上のリソース割当てが、帯域幅の第１の部分と少なくとも同じ大きさの帯域幅の第２の部分に対する多くとも１つのリソース割当てを含む場合を含むことができる。
【００６３】
具体例５では、具体例４の主題は、任意的に、基本リソース割当てが２６トーンであり、帯域幅の第１の部分が２０ＭＨｚであり、帯域幅の第２の部分が２０ＭＨｚである場合を含むことができる。
【００６４】
具体例６では、具体例１の主題は、任意的に、合成される帯域幅の第１の部分及び第２の部分の帯域幅と少なくとも同じである帯域幅の第３の部分に対する１つのみのリソース割当てがあり、帯域幅の第３の部分は４０ＭＨｚである場合を含むことができる。
【００６５】
具体例７では、具体例１の主題は、任意的には、合成される帯域幅の第１の部分、第２の部分及び第３の部分の帯域幅と少なくとも同じ大きさの帯域幅の第４の部分に対して１つのみのリソース割当てがあり、帯域幅の第４の部分は８０ＭＨｚである場合を含むことができる。
【００６６】
具体例８では、具体例５の主題は、任意的には、帯域幅の第１の部分に対する１つ以上のＨＥＷステーションに関する１つ以上のリソース割当てのそれぞれが、以下のグループ、すなわち、９個の２６トーン割当て；第１の部分の第１の側における４個の２６トーン割当て、ヌルを跨る１個の２６トーン割当て、及び第１の部分の第２の側における２個の５２トーン割当て；第１の部分の第１の側における４個の２６トーン割当て、ヌルを跨る１個の２６トーン割当て、及び第１の部分の第２の側における１個の１０４トーン割当て；ヌルを跨る１個の２６トーン割当て及び４個の５２トーン割当て；ヌルを跨る１個の２６トーン割当て、第１の部分の第１の側における２個の５２トーン割当て、及び第１の部分の第２の側における１個の１０４トーン割当て；ヌルを跨る１個の２６トーン割当て、２個の１０４トーン割当て及び１個の２４２トーン割当ての１つを含む場合を含むことができる。
【００６７】
具体例９では、具体例８の主題は、任意的に、帯域幅の第１の部分及び帯域幅の第２の部分に対する１つ以上のＨＥＷステーションのための１つ以上のリソース割当てのそれぞれが、以下のグループ、すなわち、帯域幅の第１の部分における２０ＭＨｚのためのリソース割当てと、帯域幅の第２の部分における１つの２４２トーン割当てと、帯域幅の第１の部分と帯域幅の第２の部分との両方にわたる４９８個のトーンの単一のリソース割当てとの１つを含む場合を含むことができる。
【００６８】
具体例１０では、具体例１の主題は、任意的に、帯域幅の第１の部分及び帯域幅の第２の部分に対する１つ以上のＨＥＷステーションのための１つ以上のリソース割当てのそれぞれが、以下のグループ、すなわち、帯域幅の第１の部分における２０ＭＨｚのリソース割当てと、帯域幅の第２の部分における１個の２４２トーン割当てとの１つを含み、帯域幅の第１の部分と帯域幅の第２の部分との両方にわたる４８４個のトーンの単一のリソース割当てとの１つを含み、第１の部分、第２の部分及び４０ＭＨｚの第３の部分に対する１つ以上のリソース割当てのそれぞれが、以下のグループ、すなわち、第１の部分及び第２の部分に対するリソース割当てと、１個の４９８トーン割当てと、９９６個のトーンの単一のリソース割当てとの１つを含む場合を含むことができる。
【００６９】
具体例１１では、具体例１〜１０の何れかの主題は、任意的に、帯域幅が２．４ＧＨｚ範囲の一部又は５ＧＨｚ範囲の一部である場合を含むことができる。
【００７０】
具体例１２では、具体例１〜１１の何れかの主題は、任意的に、回路が更にレガシー４マイクロ秒（μｓ）シンボルデュレーションよりも４倍長いシンボルデュレーションで送信するよう構成される場合を含むことができる。
【００７１】
具体例１３では、具体例１〜１２の何れかの主題は、任意的に、回路に結合されるメモリを含むことができる。
【００７２】
具体例１４では、具体例１〜１３の何れかの主題は、任意的に、回路に結合された１つ以上のアンテナを含むことができる。
【００７３】
具体例１５は、高効率無線ローカルエリアネットワーク（ＨＥＷ）マスタステーション上で実行される方法である。当該方法は、１つ以上のＨＥＷステーションのための帯域幅の１つ以上のリソース割当てを生成することを含み、帯域幅の第１の部分に対する各リソース割当ては、基本リソース割当ての倍数又は帯域幅の第１の部分全体であり、１つ以上のリソース割当てとデュレーションとを１つ以上のＨＥＷステーションに送信することを含む。当該方法は更に、デュレーションに基づく時間においてＨＥＷマスタステーションからのダウンリンクデータ送信又はアップリンク送信機会にそれぞれ従って、１つ以上のＨＥＷステーションと送受信することを含みうる。当該送信又は受信は、直交周波数分割多重接続（ＯＦＤＭＡ）に従って、また、１つ以上のリソース割当てに従ってもよい。
【００７４】
具体例１６では、具体例１５の主題は、任意的に、１つ以上のリソース割当てのそれぞれが、以下のグループ、すなわち、２０ＭＨｚに等しい帯域幅に対する２６トーン、５２トーン、１０４トーン及び２４２トーンと、４０ＭＨｚに等しい帯域幅の２６トーン、５２トーン、１０４トーン、２４２トーン及び４９８トーンと、８０ＭＨｚに等しい帯域幅の２６トーン、５２トーン、１０４トーン、２４２トーン、４９８トーン及び９９６トーンからの１つであることを含むことができる。
【００７５】
具体例１７では、具体例１５又は１６の主題は、任意的に、１つ以上のリソース割当てが、帯域幅の１つ以上の後続部分に対する１つ以上のリソース割当てを含み、帯域幅の１つ以上の後続部分に対する１つ以上のリソース割当てのそれぞれが、基本リソース割当ての倍数又は帯域幅の後続部分の全帯域幅である場合を含むことができる。
【００７６】
具体例１８では、具体例１５〜１７のいずれかの主題は、任意的に、１つ以上のリソース割当てが、帯域幅の第１の部分と少なくとも同じ大きさの帯域幅の第２の部分に対する多くとも１つのリソース割当てを含む場合を含むことができる。
【００７７】
具体例１９では、具体例１８の主題は、任意的に、基本リソース割当てが２６トーンであり、帯域幅の第１の部分が２０ＭＨｚであり、帯域幅の第２の部分が２０ＭＨｚである場合を含むことができる。
【００７８】
具体例２０は、高効率無線ローカルエリアネットワーク（ＨＥＷ）ステーションである。ＨＥＷステーションは、帯域幅及びデュレーションの１つ以上のリソース割当てを受信するよう構成される回路を含むものであってもよい。帯域幅の第１の部分の各リソース割当ては、基本リソース割当ての倍数又は帯域幅の第１の部分全体であってもよい。回路は更に、デュレーションに基づく時間においてＨＥＷマスタステーションからのダウンリンクデータ送信又はアップリンク送信機会にそれぞれ従ってＨＥＷマスタステーションと送受信するよう構成されてもよく、当該送受信は、直交周波数分割多重接続（ＯＦＤＭＡ）に従って、また、１つ以上のリソース割当てに従ってもよい。
【００７９】
具体例２１では、具体例２０の主題は、任意的に、１つ以上のリソース割当てのそれぞれが、以下のグループ、すなわち、２０ＭＨｚに等しい帯域幅に対する２６トーン、５２トーン、１０４トーン及び２４２トーンと、４０ＭＨｚに等しい帯域幅の２６トーン、５２トーン、１０４トーン、２４２トーン及び４９８トーンと、８０ＭＨｚに等しい帯域幅の２６トーン、５２トーン、１０４トーン、２４２トーン、４９８トーン及び９９６トーンからの１つであることを含むことができる。
【００８０】
具体例２２では、具体例２０又は２１の主題は、任意的に、１つ以上のリソース割当てが、帯域幅の第１の部分と少なくとも同じ大きさの帯域幅の第２の部分に対する多くとも１つのリソース割当てを含む場合を含むことができる。
【００８１】
具体例２３では、具体例２０〜２２の何れかの主題は、任意的に、回路に結合されるメモリと、回路に結合される１つ以上のアンテナとを含むことができる。
【００８２】
具体例２４は、高効率（ＨＥ）無線ローカルエリアネットワーク（ＷＬＡＮ）（ＨＥＷ）装置の１つ以上のプロセッサによる実行用の命令を記憶する非一時的なコンピュータ可読記憶媒体である。当該命令は、１つ以上のＨＥＷステーションに対する帯域幅の１つ以上のリソース割当てをＨＥＷ装置に生成されるよう１つ以上のプロセッサを設定するものであってもよく、帯域幅の第１の部分に対する各リソース割当ては、基本リソース割当ての倍数又は帯域幅の第１の部分全体であり、帯域幅の第１の部分と少なくとも同じ大きさの帯域幅の第２の部分に対する１つのみのリソース割当てがある。
【００８３】
具体例２５では、具体例２４の主題は、任意的には、基本リソース割当ては２６トーンであり、帯域幅の第１の部分は２０ＭＨｚであり、帯域幅の第２の部分は２０ＭＨｚである場合を含むことができる。
【００８４】
要約は、読者が技術的開示の性質及び要点を確認することを可能にする要約を要求する３７Ｃ．Ｆ．Ｒ．Ｓｅｃｔｉｏｎ１．７２（ｂ）に従うために提供される。それは請求項の範囲又は意味を限定又は解釈するのに用いられないという理解により提出されている。以下の請求項は、各請求項が別々の実施例として自ら成り立つ詳細な説明に含まれる。
【図１】
2020184787.tif 000003
【図２】
2020184787.tif 000004
【図３】
2020184787.tif 000005
【図４】
2020184787.tif 000006
【図５Ａ】
2020184787.tif 000007
【図５Ｂ】
2020184787.tif 000008
【図６Ａ】
2020184787.tif 000009
【図６Ｂ】
2020184787.tif 000010
【図７】
2020184787.tif 000011
【図８】
2020184787.tif 000012
【図９】
2020184787.tif 000013
【図１０】
2020184787.tif 000014
【外国語明細書】
2020184787000001.pdf